(57)【要約】【課題】レースウェイの向きに関係なく、施工作業の簡素化を図りつつ、器具本体内への異物の進入を抑えることのできる照明器具を提供する。【解決手段】照明器具は、底壁１１を有する器具本体１と、底壁１１に取り付けられる可動板２とを備える。底壁１１は、厚み方向に貫通される挿通孔１３を有する。挿通孔１３は、底壁１１がレースウェイ３に覆われる位置に設けられる第１挿通孔１３１と、レースウェイ３に覆われる位置以外の位置に設けられる第２挿通孔１３２とを有する。可動板２は、線通孔２１を備える。線通孔２１が第１挿通孔１３１と重なる位置と第２挿通孔１３２と重なる位置との間で底壁１１に沿って移動可能に形成される。線通孔２１が重なる第１挿通孔１３１および第２挿通孔１３２のいずれか一方の挿通孔１３を開放させる。【選択図】図１
2016162560.tif 000002
【特許請求の範囲】
【請求項１】
レースウェイに取り付けられる照明器具であって、
底壁を有する器具本体と、前記底壁に取り付けられる可動板とを備え、
前記底壁は、厚み方向に貫通される挿通孔を有し、
前記挿通孔は、前記底壁が前記レースウェイに覆われる位置に設けられる第１挿通孔と、前記レースウェイに覆われる位置以外の位置に設けられる第２挿通孔とを有し、
前記第１挿通孔と前記第２挿通孔のそれぞれは、前記レースウェイに収納されるケーブルの外径よりも大きい内径を有し、
前記可動板は、前記レースウェイに収納されるケーブルの外径よりも大きい内径を有する線通孔を備え、前記線通孔が前記第１挿通孔と重なる位置と前記第２挿通孔と重なる位置との間で前記底壁に沿って移動可能に形成され、前記線通孔が重なる前記第１挿通孔および前記第２挿通孔のいずれか一方の挿通孔を開放させる
ことを特徴とする照明器具。
【請求項２】
レースウェイに取り付けられる照明器具であって、
底壁を有する器具本体と、前記底壁に取り付けられる可動板とを備え、
前記底壁は、厚み方向に貫通される挿通孔を有し、
前記挿通孔は、前記底壁が前記レースウェイに覆われる位置に設けられる第１挿通孔と、前記レースウェイに覆われる位置以外の位置に設けられる第２挿通孔とを有し、
前記第１挿通孔と前記第２挿通孔のそれぞれは、前記レースウェイに収納されるケーブルの外径よりも大きい内径を有し、
前記可動板は、前記第１挿通孔と重なる位置と前記第２挿通孔と重なる位置との間で前記底壁に沿って移動可能に形成され、
前記第１挿通孔と前記第２挿通孔のそれぞれは、前記可動板と重なる場合に閉塞され、重ならない場合に開放される
ことを特徴とする照明器具。
【請求項３】
前記可動板は、前記第１挿通孔を開放しかつ前記第２挿通孔を閉塞する第１の位置と、前記第１挿通孔を閉塞しかつ前記第２挿通孔を開放する第２の位置との間で移動する
ことを特徴とする請求項１または２記載の照明器具。
【請求項４】
前記第１挿通孔および前記第２挿通孔は、互いに繋がって形成される１つの挿通孔である
ことを特徴とする請求項１ないし３のいずれか一項に記載の照明器具。
【請求項５】
前記第１挿通孔および前記第２挿通孔は、互いに繋がらない独立した挿通孔として形成される
ことを特徴とする請求項１ないし３いずれか一項に記載の照明器具。
【請求項６】
前記可動板は、前記底壁に対して垂直な回転軸を備え、前記回転軸を中心に回転する
ことを特徴とする請求項１ないし５のいずれか一項に記載の照明器具。
【請求項７】
前記可動板は、前記底壁に設けられる保持部に両端を保持され、前記底壁に対して平行な直線上を移動する
ことを特徴とする請求項１ないし５のいずれか一項に記載の照明器具。
【発明の詳細な説明】
【技術分野】
【０００１】
本発明は、照明器具に関し、特にレースウェイに取り付け可能な照明器具に関する。
【背景技術】
【０００２】
従来例として、特許文献１記載の照明器具を例示する。特許文献１記載の照明器具は、ソケットやランプを収納する下向きの溝形鋼からなる器具本体を備えている。器具本体には、底壁の中央にボルト取付孔が形成されている。
【０００３】
器具本体は、ボルト取付孔部分にボルト挿通孔を備える位置決め具が取り付けられている。器具本体は、ボルト挿通孔を挿通するボルトによって、２種金属製線ぴ（いわゆるレースウェイ）に吊持されている。
【０００４】
レースウェイは、一面が開口する矩形の箱形に形成され、底壁と、側壁とを備えている。レースウェイは、電源線などのケーブルを収納し、開口する側を下方に向けて配設されている。照明器具の器具本体の底壁は、レースウェイの開口する側に取り付けられる。
【０００５】
レースウェイに収納されるケーブルは、器具本体の底壁に設けられる孔を通って器具本体内に引き込まれる。
【先行技術文献】
【特許文献】
【０００６】
【特許文献１】特開平１０−６４３２５号公報
【発明の概要】
【発明が解決しようとする課題】
【０００７】
特許文献１記載の照明器具は、レースウェイの開口部側に取り付けられている。しかしながら、レースウェイは必ずしも、開口部が下方を向くように配設されるとは限らず、施工環境によって、開口部が上方を向くように配設されることもある。レースウェイの開口部が上方を向くように配設される場合、器具本体は、レースウェイの底壁に取り付けられる。特許文献１記載の照明器具がこのようにレースウェイの底壁に取り付けられると、ケーブルを挿通する孔（第１孔）がレースウェイの底壁によって塞がれてしまう。したがって、レースウェイの内側に配線されるケーブルが孔を介して器具本体内に引き込まれることができない。
【０００８】
そこで、器具本体には、レースウェイの内部に配線されているケーブルを引き込むためのケーブル用の孔（第２孔）が、器具本体の底壁とレースウェイの底壁とが重ならない場所、例えば器具本体の側壁などに設けられる必要がある。
【０００９】
例えば、器具本体の製造時に、レースウェイの開口部が下方を向くように取り付けられることを想定して開口される第１孔と、レースウェイの開口部が上方を向くように配設されることを想定して開口される第２孔とがあらかじめ形成されているとする。仮に、開口部が下方を向くように配設されたレースウェイに器具本体が取り付けられる場合、第２孔は、開放されたままになってしまう。このような状態で放置していると、埃などが第２孔を通して器具本体内に入り込むという問題が生じる。
【００１０】
また、例えば、作業者が施工時にドリルなどの工具を用いて第２孔を穿孔するとなると、作業者の負担を増大させてしまう。さらに、作業者が第２孔を開口する際、器具本体を変形させてしまう等、作業効率を低下させてしまう虞がある。
【００１１】
本発明は、上記事由に鑑みてなされており、レースウェイの向きに関係なく、施工作業の簡素化を図りつつ、器具本体内への異物の進入を抑えることのできる照明器具を提供することを目的とする。
【課題を解決するための手段】
【００１２】
本発明の照明器具は、レースウェイに取り付けられる照明器具であって、底壁を有する器具本体と、前記底壁に取り付けられる可動板とを備え、前記底壁は、厚み方向に貫通される挿通孔を有し、前記挿通孔は、前記底壁が前記レースウェイに覆われる位置に設けられる第１挿通孔と、前記レースウェイに覆われる位置以外の位置に設けられる前記第２挿通孔とを有し、前記第１挿通孔と前記第２挿通孔のそれぞれは、前記レースウェイに収納されるケーブルの外径よりも大きい内径を有し、前記可動板は、前記レースウェイに収納されるケーブルの外径よりも大きい内径を有する線通孔を備え、前記線通孔が前記第１挿通孔と重なる位置と第２挿通孔と重なる位置との間で前記底壁に沿って移動可能に形成され、前記線通孔が重なる前記第１挿通孔および前記第２挿通孔のいずれか一方の挿通孔を開放させる。
【００１３】
本発明の照明器具は、レースウェイに取り付けられる照明器具であって、底壁を有する器具本体と、前記底壁に取り付けられる可動板とを備え、前記底壁は、厚み方向に貫通される挿通孔を有し、前記挿通孔は、前記底壁が前記レースウェイに覆われる位置に設けられる第１挿通孔と、前記レースウェイに覆われる位置以外の位置に設けられる第２挿通孔とを有し、前記第１挿通孔と前記第２挿通孔のそれぞれは、前記レースウェイに収納されるケーブルの外径よりも大きい内径を有し、前記可動板は、前記第１挿通孔と重なる位置と前記第２挿通孔と重なる位置との間で前記底壁に沿って移動可能に形成され、前記第１挿通孔と前記第２挿通孔のそれぞれは、前記可動板と重なる場合に閉塞され、重ならない場合に開放される。
【発明の効果】
【００１４】
本発明の照明器具は、レースウェイの向きに関係なく、施工作業の簡素化を図りつつ、器具本体内への異物の進入を抑えることができるという効果がある。
【図面の簡単な説明】
【００１５】
【図１】本発明に係る照明器具の実施形態１を示し、図１Ａは一部省略した平面図、図１Ｂは一部省略したＸ１−Ｘ２断面矢視図、図１ＣはＹ１−Ｙ２断面矢視図である。
【図２】同上の平面図である。
【図３】同上を示し、開口部が下方を向くように配設されているレースウェイに取り付けられた状態の左側から見た一部省略した断面図である。
【図４】同上を示し、開口部が上方を向くように配設されているレースウェイに取り付けられた状態の左側から見た一部省略した断面図である。
【図５】同上を示し、第１挿通孔および第２挿通孔が独立して別々に形成されている状態の一部省略した平面図である。
【図６】本発明に係る照明器具の実施形態２を示し、図６Ａは一部省略した平面図、図６Ｂは一部省略したＺ１−Ｚ２断面矢視図である。
【図７】同上を示し、可動板が第１の位置にある場合の一部省略した平面図である。
【図８】本発明の係る照明器具の実施形態３の要部を示し、図８Ａは可動板が第１の位置にある場合の底面図、図８Ｂは可動板が第２の位置にある場合の底面図である。
【図９】本発明に係る照明器具の実施形態４の要部を示す底面図である。
【発明を実施するための形態】
【００１６】
以下、本発明に係る照明器具の実施形態について、図面を参照にして詳細に説明する。
（実施形態１）
本実施形態の照明器具について、図１〜図５を参照して説明する。なお、本実施形態の説明において、特に断りのない限り、図１において、上下、左右、前後の各方向を規定する。
【００１７】
本実施形態の照明器具は、図１Ａ、図１Ｂ、および図１Ｃに示すように、器具本体１と、可動板２と、光源ユニット１４とを備える。器具本体１は、底壁１１と側壁１２とを有し、金属材料によって矩形の箱形に形成されている。
【００１８】
器具本体１の底壁１１は、図２に示すように、後述するレースウェイ３に取り付けられるための複数（図示では２つ）のボルト挿通孔１１１を備える。複数のボルト挿通孔１１１のそれぞれは、底壁１１の左右方向の両端付近に設けられている。
【００１９】
さらに、器具本体１の底壁１１は、レースウェイ３に収納される電源線などのケーブル４を引き込むための挿通孔１３を備える。挿通孔１３は、第１挿通孔１３１と第２挿通孔１３２とが繋がった矩形に形成されている。第１挿通孔１３１は、レースウェイ３と器具本体１の底壁１１とが上下方向に重なる位置であって、底壁１１の前後方向および左右方向の中心付近に設けられる。第２挿通孔１３２は、レースウェイ３と器具本体１の底壁１１とが上下方向に重ならない位置に設けられる。第１挿通孔１３１は、図１Ａに示すように、前後方向の長さｄ１１と左右方向の長さｄ２のいずれもがケーブル４の外径よりも大きく形成される。また、第２挿通孔１３２は、前後方向の長さｄ１２と左右方向の長さｄ２のいずれもがケーブル４の外径よりも大きく形成される（図３および図４参照）。
【００２０】
可動板２は、円盤形状に形成され、中心に設けられる軸孔と、厚み方向（上下方向）に貫通される線通孔２１とを備える。可動板２の軸孔には、ねじ部を回転軸２２とするボルト２２１が挿通される。可動板２は、回転軸２２を中心に底壁１１に沿って回転可能に形成される。
【００２１】
ところで、底壁１１は、レースウェイ３と重ならない位置にボルト孔を備える。可動板２は、ボルト２２１が底壁１１の上方からボルト孔および可動板２の軸孔に挿通されて、可動板２の下側でナット２２２によって締結されることで、底壁１１の下面に取り付けられる（図１Ｂおよび図１Ｃ参照）。なお、ナット２２２が緩められることで、可動板２は、回転軸２２を中心に底壁１１と相対的に回転可能になる。
【００２２】
線通孔２１は、円形に形成され、ケーブル４の外径よりも大きい内径ｄ３を有する。線通孔２１は、可動板２が回転することで第１挿通孔１３１と第２挿通孔１３２との間を移動する。線通孔２１と第１挿通孔１３１とが上下方向に重なることで、第１挿通孔１３１は開放され、同時に第２挿通孔１３２は可動板２によって閉塞される（図１Ａ参照）。なお、第１挿通孔１３１が開放され、第２挿通孔が閉塞する可動板２の位置を第１の位置とする。線通孔２１と第２挿通孔１３２とが上下方向に重なることで、第２挿通孔１３２は開放され、同時に第１挿通孔１３１は可動板２によって閉塞される。なお、第２挿通孔１３２が開放され、第１挿通孔１３１が閉塞される可動板２の位置を第２の位置とする。つまり、第１挿通孔１３１と第２挿通孔１３２のいずれか一方の挿通孔が線通孔２１を介して開放されると同時に、片方の挿通孔が閉塞される。
【００２３】
光源ユニット１４は、ユニット本体と、光源モジュールと、カバーとを備える。光源モジュールは、長尺の実装基板の下面に複数の光源（例えば、発光ダイオド）が実装されて構成される。光源モジュールは、ユニット本体に取り付けられる。カバーは、透光性を有する合成樹脂材料により上面が開口する長尺の箱形に形成されている。カバーは、開口側が上方を向くようにした状態で、光源が下方を向いている状態のユニット本体に取り付けられる。また、光源ユニット１４は、図１Ｃに示すように、前後方向に並ぶように器具本体１の下面に取り付けられる。
【００２４】
なお、器具本体１は、端子台、電源ユニットなどをさらに備えることが好ましい。端子台は、例えば底壁１１の下面に取り付けられて、ケーブル４と電気的に接続される。端子台から引き出される電線は、電源ユニットに電気的に接続される。電源ユニットは、交流電力から直流電力に変換するなどして、光源を発光させるために必要な電力を光源ユニット１４に供給する。ただし、光源ユニット１４が電源ユニットを備えてもよい。
【００２５】
ところで、レースウェイ３は、図３に示すように、主部３１と、主部３１に向かい合う１対の脚部３２とを備え、一面が開放した矩形の箱形に形成される。さらに、レースウェイ３は、一対の脚部３２の下端（図４では上端）から内側に突出する内鍔３２１を備える。レースウェイ３は、室内の天井近くに配設され、内部に電源線などのケーブル４を収納する。なお、レースウェイ３の開口部が下方を向く場合をレースウェイ３が下向きの状態にあるとし、レースウェイ３の開口部が上方を向く場合をレースウェイ３が上向きの状態にあるとする。ところで、レースウェイ３は、下向きに配設されることもあれば、図４に示すように、上向きに配設されることもある。
【００２６】
次に、施工手順について図３および図４を参照して説明する。
【００２７】
図３に示すように、レースウェイ３が下向きに配設されている場合の取付手順について説明する。まず、作業者は、器具本体１の底壁１１に取り付けられている可動板２の線通孔２１の位置を確認する。可動板２が第１の位置にない場合、作業者は、ナット２２２を緩めることで、回転軸２２を中心に可動板２を回転させて第１の位置に移動させる。そして、作業者は、ナット２２２をボルト２２１に締結して可動板２を底壁１１に固定する。作業者は、レースウェイ３に収納されているケーブル４を第１挿通孔１３１および線通孔２１を通して器具本体１の内部に引き込む。次に、作業者は、複数のボルト挿通孔１１１に挿通されるボルト５１と、ボルト取付金具５２と、ナット５３と、座金５４とを用いて、器具本体１をレースウェイ３に取り付ける。このとき、器具本体１は、ボルト取付金具５２の両端がレースウェイ３の内鍔３２１に引っ掛かることで、下方へ落ちないようにレースウェイ３に保持される。作業者は、器具本体１に引き込まれたケーブル４を端子台に電気的に接続する。最後に、作業者は、光源ユニット１４のカバーが下方を向くように光源ユニット１４を器具本体１に取り付ける。
【００２８】
図４に示すように、レースウェイ３が上向きに配設されている場合の取付手順について説明する。まず、作業者は、器具本体１の底壁１１に取り付けられている可動板２の線通孔２１の位置を確認する。このとき、可動板２が第２の位置にない場合、作業者は、ナット２２２を緩めることで、回転軸２２を中心に可動板２を回転させて第２の位置に移動させる。そして、作業者は、ナット２２２をボルト２２１に締結して可動板２を底壁１１に固定する。作業者は、レースウェイ３に収納されているケーブル４をレースウェイ３の上方（開口部）から取り出して第２挿通孔１３２および線通孔２１を通して器具本体１の内部に引き込む。次に、作業者は、複数のボルト挿通孔１１１に挿通されるボルト５１と、ナット５３と、座金５４とを用いてレースウェイ３に器具本体１を取り付ける。作業者は、器具本体１に引き込まれたケーブル４を端子台に電気的に接続する。最後に、作業者は、光源ユニット１４のカバーが下方を向くように光源ユニット１４を器具本体１に取り付ける。
【００２９】
本実施形態の照明器具は上述のように構成されるので、レースウェイ３の配設されている向きに応じて、作業者によって、可動板２が第１の位置または第２の位置に移動される。さらに、作業者は、専用の工具などを用いることなく、容易に第１挿通孔１３１および第２挿通孔１３２のどちらか一方を開放させることが可能である。したがって、本実施形態の照明器具は、施工作業の簡素化を図りつつ、器具本体１内への異物の進入を抑えることができる。
【００３０】
なお、可動板２は、円盤状に限らず、例えば、扇形や矩形などでもよい。これらの形状の可動板２を用いる場合、所望の位置を回転軸２２とし、第１挿通孔１３１と第２挿通孔１３２との間を、回転軸２２を中心にして回転可能に形成されることが好ましい。回転軸２２の構成部品は、ボルト２２１に限らない。また、挿通孔１３の設けられる位置および形状は、本実施形態に限らない。さらに、線通孔２１は、円形状に限らない。
【００３１】
本実施形態の照明器具は、レースウェイ３に取り付けられる照明器具である。本実施形態の照明器具は、底壁１１を有する器具本体１と、底壁１１に取り付けられる可動板２とを備える。底壁１１は、厚み方向に貫通される挿通孔１３を有する。挿通孔１３は、底壁１１がレースウェイ３に覆われる位置に設けられる第１挿通孔１３１と、レースウェイ３に覆われる位置以外の位置に設けられる第２挿通孔１３２とを有する。第１挿通孔１３１と第２挿通孔１３２のそれぞれは、レースウェイ３に収納されるケーブル４の外径よりも大きい内径（長さｄ１１，ｄ１２）を有する。可動板２は、レースウェイ３に収納されるケーブル４の外径よりも大きい内径ｄ３を有する線通孔２１を備える。可動板２は、線通孔２１が第１挿通孔１３１と重なる位置と第２挿通孔１３２と重なる位置との間で底壁１１に沿って移動可能に形成される。可動板２は、線通孔２１が重なる第１挿通孔１３１および第２挿通孔１３２のいずれか一方の挿通孔１３を開放させる。
【００３２】
本実施形態の照明器具は上述のように構成されるので、レースウェイ３の向きに関係なく、施工作業の簡素化を図りつつ、器具本体１内への異物の進入を抑えることができる。
【００３３】
本実施形態の照明器具において、可動板２は、第１挿通孔１３１を開放しかつ第２挿通孔１３２を閉塞する第１の位置と、第１挿通孔１３１を閉塞しかつ第２挿通孔１３２を開放する第２の位置との間で移動することが好ましい。
【００３４】
本実施形態の照明器具が上述のように構成されれば、第１挿通孔１３１および第２挿通孔１３２のいずれか一方を閉塞し、埃などが器具本体１に入り込まないようにすることができる。
【００３５】
本実施形態の照明器具において、第１挿通孔１３１および第２挿通孔１３２は、互いに繋がって形成される１つの挿通孔であることが好ましい。
【００３６】
本実施形態の照明器具が上述のように構成されれば、器具本体１の製造効率の向上を図ることが可能になる。
【００３７】
本実施形態の照明器具において、可動板２は、底壁１１に対して垂直な回転軸２２（ボルト２２１のねじ部）を備え、回転軸２２（ボルト２２１のねじ部）を中心に回転することが好ましい。
【００３８】
本実施形態の照明器具が上述のように構成されれば、施工者が容易に可動板２を第１の位置および第２の位置に移動することができる。
【００３９】
ところで、図５に示すように、第１挿通孔１３１および第２挿通孔１３２は、独立して別々に形成されてもよい。なお、第１挿通孔１３１および第２挿通孔１３２のそれぞれは、矩形に限らない。
【００４０】
第１挿通孔１３１および第２挿通孔１３２のそれぞれは、互いに繋がらない独立した挿通孔として形成されることが好ましい。
（実施形態２）
本実施形態の照明器具について、図６Ａ、図６Ｂ、および図７を参照して説明する。本実施形態の照明器具は、可動板の形状と、可動板の移動方向が実施形態１と相違する。実施形態１と重複する構成については同じ符号を付し、詳しい説明は省略する。なお、本実施形態の説明において、特に断りのない限り、図６において、上下、左右、前後の各方向を規定する。
【００４１】
本実施形態の照明器具は、図６Ａおよび図６Ｂに示すように、可動板６を備える。可動板６は、線通孔６１を備える。線通孔６１は、可動板６の中心付近に円形に形成され、ケーブル４の外径よりも大きい内径ｄ４０を有する。
【００４２】
本実施形態の照明器具において、図６Ａに示すように、可動板６の左右方向の長さｄ４１が挿通孔１３の左右方向の長さｄ２よりも大きく形成される。また、可動板６は、前後方向の後ろ側の端と、線通孔６１の周縁までの直線距離ｄ１１４が第１挿通孔１３１の前後方向の長さｄ１１よりも大きく形成される。上述と同様に、可動板６は、図７に示すように、前後方向の前側の端と、線通孔６１の周縁までの直線距離ｄ１２４が第２挿通孔１３２の前後方向の長さｄ１２よりも大きく形成される。
【００４３】
器具本体１は、図６Ａに示すように、底壁１１に可動板６の前後方向の両端を保持するための１対の保持部１５を備える。保持部１５は、挿通孔１３の前後方向の外側、かつ前後方向から見たときに底壁１１との間に空間が設けられるようなＬ字型に形成される（図６Ｂ参照）。可動板６は、保持部１５と底壁１１との間に差し込まれて、前後方向に移動可能に保持される（図６Ｂ参照）。
【００４４】
次に、可動板６の施工手順について、図６Ａおよび図７を参照して説明する。
【００４５】
レースウェイ３が下向きに配設されている場合の施工手順について説明する。まず、作業者は、可動板６の位置を確認する。可動板６が第１の位置にない場合、作業者は、図７に示すように、可動板６を底壁１１の後側、つまり線通孔６１が第１挿通孔１３１と上下方向に重なる位置に向かって移動させて第１挿通孔１３１を開放させる。作業者は、レースウェイ３に収納されているケーブル４を第１挿通孔１３１および線通孔６１を通して器具本体１の内部に引き込む。作業者は、器具本体１をレースウェイ３に取り付けて、器具本体１に引き込まれたケーブル４を端子台に電気的に接続する。最後に、作業者は、光源ユニット１４のカバーが下方を向くように光源ユニット１４を器具本体１に取り付ける。
【００４６】
また、レースウェイ３が上向きに配設されている場合の施工手順について説明する。まず、作業者は、可動板６の位置を確認する。可動板６が第２の位置にない場合、作業者は、図６Ａに示すように、可動板６を底壁１１の前側、つまり線通孔６１が第２挿通孔１３２上下方向に重なる位置に向かってに移動させて第２挿通孔１３２を開放する。作業者は、レースウェイ３に収納されているケーブル４をレースウェイ３の上方から取り出して第２挿通孔１３２および線通孔６１を通して器具本体１の内部に引き込む。作業者は、器具本体１をレースウェイ３に取り付けて、器具本体１に引き込まれたケーブル４を端子台に電気的に接続する。最後に、作業者は、光源ユニット１４のカバーが下方を向くように光源ユニット１４を器具本体１に取り付ける。
【００４７】
本実施形態は上述のように形成されるので、可動板２がレースウェイ３の配設されている向きに応じて、作業者によって、第１の位置または第２の位置に移動される。さらに、作業者は、専用の工具などを用いることなく、容易に第１挿通孔１３１および第２挿通孔１３２のどちらか一方を開放させることが可能である。したがって、本実施形態の照明器具は、レースウェイ３の向きに関係なく、施工作業の簡素化を図りつつ、器具本体１内への異物の進入を抑えることができる。
【００４８】
なお、線通孔６１は円形状に形成されなくてもよい。また、保持部１５は、複数対設けられてもよい。さらに、可動板６が保持されて前後に移動可能であれば、対として設けられなくてもよい。可動板８は、矩形に限らず、４隅が弧状に形成されるなどしてもよい。第１挿通孔１３１と第２挿通孔１３２は、互いに繋がらない独立した挿通孔として形成されてもよい。
【００４９】
本実施形態の照明器具において、可動板６は、底壁１１に設けられる保持部１５に両端を保持され、底壁１１に対して平行な直線上を移動することが好ましい。
【００５０】
本実施形態の照明器具が上述のように構成されると、レースウェイ３の向きに関係なく、施工作業の簡素化を図りつつ、器具本体１内への異物の進入を抑えることができる。
（実施形態３）
本実施形態の照明器具は、可動板の形状が異なる点と可動板に線通孔が備えられていない点が、実施形態１と相違する。なお、実施形態１と重複する構成については同じ符号を付し、詳しい説明は省略する。なお、本実施形態の説明において、特に断りのない限り、図８Ａおよび図８Ｂにおいて、左右、前後の各方向を規定する。また、紙面に垂直な方向を上下方向とし、手前を下、奥を上とする。
【００５１】
本実施形態の照明器具において、図８Ａおよび図８Ｂに示すように、可動板７はＬ字型形状に形成され、所望の位置に軸孔を備える。
【００５２】
可動板７には、底壁１１の上方からボルト孔および可動板７の軸孔にボルト７１１が挿通される。可動板７は、可動板７の下側でボルト７１１がナット７１２によって締結されて、底壁１１に取り付けられる。なお、ナット７１２が緩められることで、可動板７は、ボルト７１１を中心に底壁１１と相対的に回転可能になる。
【００５３】
図８Ｂに示すように、可動板７が第２挿通孔１３２と上下方向に重ねられることで、第２挿通孔１３２は閉塞され、同時に第１挿通孔１３１が開放される（第１の位置）。図８Ａに示すように、可動板７が第１挿通孔１３１と上下方向に重ねられることで、第１挿通孔１３１が閉塞され、同時に第２挿通孔１３２が開放される（第２の位置）。
【００５４】
レースウェイ３が下向きに配設されており、可動板７が第１の位置にない場合、作業者は、ナット７１２を緩めることで、回転軸７１を中心に可動板７を回転させて第１の位置に移動させる。ケーブル４は、第１挿通孔１３１を通って器具本体１の内部に引き込まれる（図８Ｂ参照）。
【００５５】
また、レースウェイ３が上向きに配設されており、可動板７が第２の位置にない場合、作業者は、ナット７１２を緩めることで、回転軸７１を中心に可動板７を回転させて第２の位置に移動させる。ケーブル４は、第２挿通孔１３２を通って器具本体１の内部に引き込まれる（図８Ａ参照）。
【００５６】
本実施形態の照明器具は上述のように構成されるので、可動板７に線通孔が設けられていなくても、レースウェイ３の配設される向きに応じて、作業者によって、可動板７を第１の位置または第２の位置に移動される。さらに、作業者は、専用の工具などを用いることなく、容易に第１挿通孔１３１および第２挿通孔１３２のどちらか一方を開放させることが可能である。したがって、本実施形態の照明器具は、レースウェイ３の向きに関係なく、施工作業の簡素化を図りつつ、器具本体１内への異物の進入を抑えることができる。
【００５７】
なお、可動板７の形状は本実施形態の形状に限らない。しかしながら、可動板７が第１の位置に移動する場合、可動板７が扇型形状であることで、可動板７が第１挿通孔１３１の一部を覆ってしまう可能性がある。このような場合において、ケーブル４が第１挿通孔１３１に挿通されることができれば、可動板７が第１挿通孔１３１の一部を覆うように形成されても構わない。
【００５８】
第１挿通孔１３１と第２挿通孔１３２は、互いに繋がらない独立した挿通孔として形成されてもよい。
【００５９】
本実施形態の照明器具は、レースウェイ３に取り付けられる照明器具である。本実施形態の照明器具は、底壁１１を有する器具本体１と、底壁１１に取り付けられる可動板７とを備える。底壁１１は、厚み方向に貫通される挿通孔１３を有する。挿通孔１３は、底壁１１がレースウェイ３に覆われる位置に設けられる第１挿通孔１３１と、レースウェイ３に覆われる位置以外の位置に設けられる第２挿通孔１３２とを有する。第１挿通孔１３１と第２挿通孔１３２のそれぞれは、レースウェイ３に収納されるケーブル４の外径よりも大きい内径（長さｄ１１、ｄ１２）を有する。可動板７は、第１挿通孔１３１と重なる位置と第２挿通孔１３２と重なる位置との間で底壁１１に沿って移動可能に形成される。第１挿通孔１３１と第２挿通孔１３２のそれぞれは、可動板７と重なる場合に閉塞され、重ならない場合に開放される。
【００６０】
本実施形態の照明器具は上述のように構成されるので、レースウェイ３の向きに関係なく、施工作業の簡素化を図りつつ、器具本体１内への異物の進入を抑えることができる。
（実施形態４）
本実施形態の照明器具は、可動板の形状および可動板に線通孔が備えられていない点が、実施形態２と相違する。なお、実施形態２と重複する構成については同じ符号を付し、詳しい説明は省略する。なお、本実施形態の説明において、特に断りのない限り、図９において、左右、前後の各方向を規定する。また、紙面に垂直な方向を上下方向とし、手前を下、奥を上とする。
【００６１】
可動板８は、図９に示すように、第１挿通孔１３１および第２挿通孔１３２のいずれの挿通孔よりも大きい矩形に形成される。さらに、可動板８は、器具本体１に設けられる１対の保持部１５に保持される。また、作業者は、可動板８を第１挿通孔１３１と第２挿通孔１３２との間で移動させる。
【００６２】
可動板８は、第２挿通孔１３２と上下方向に重なられることで第２挿通孔１３２が閉塞され、同時に第１挿通孔１３１を開放される（第１の位置）。また、可動板８は、第１挿通孔１３１と上下方向に重なられることで、第１挿通孔１３１が閉塞され、同時に第２挿通孔１３２を開放される（第２の位置）。第１挿通孔１３１と第２挿通孔１３２のそれぞれは、可動板８と重なる場合に閉塞され、重ならない場合に開放される。
【００６３】
レースウェイ３が下向きに配設されており、可動板８が第１の位置にない場合、作業者は、可動板８を底壁１１の前側、つまり、可動板８が第２挿通孔１３２と上下方向に重なる位置に向かって移動させて第１挿通孔１３１を開放させる。したがって、ケーブル４は、第１挿通孔１３１を通って器具本体１の内部に引き込まれる。
【００６４】
また、レースウェイ３が上向きに配設されており、可動板８が第２の位置にない場合、作業者は、可動板８を底壁１１の後ろ側、つまり、可動板８が第１挿通孔１３１と上下方向に重なる位置に向かって移動させて第２挿通孔１３２を開放させる。したがって、ケーブル４は、第２挿通孔１３２を通って器具本体１の内部に引き込まれる。
【００６５】
なお、保持部１５は、複数対設けられてもよい。さらに、可動板８が保持されて前後に移動可能であれば、対として設けられなくてもよい。可動板８は、矩形に限らず、４隅が弧状に形成されるなどしてもよい。第１挿通孔１３１と第２挿通孔１３２は、互いに繋がらない独立した挿通孔として形成されてもよい。
【００６６】
本実施形態の照明器具は上述のように構成されるので、可動板８に線通孔が設けられていなくても、レースウェイ３の配設される向きに応じて、作業者によって、可動板８が第１の位置または第２の位置に移動される。さらに、作業者は、専用の工具などを用いることなく、容易に第１挿通孔１３１および第２挿通孔１３２のどちらか一方を開放させることが可能である。したがって、本実施形態の照明器具は、レースウェイ３の向きに関係なく、施工作業の簡素化を図りつつ、器具本体１内への異物の進入を抑えることができる。
【符号の説明】
【００６７】
１  器具本体
１１  底壁
１３  挿通孔
１３１  第１挿通孔
１３２  第２挿通孔
１５  保持部
２  可動板
２１  線通孔
２２  回転軸
３  レースウェイ
４  ケーブル
６  可動板
７  可動板
ｄ１１  長さ
ｄ１２  長さ
ｄ３  内径
【図１】
2016162560.tif 000003
【図２】
2016162560.tif 000004
【図３】
2016162560.tif 000005
【図４】
2016162560.tif 000006
【図５】
2016162560.tif 000007
【図６】
2016162560.tif 000008
【図７】
2016162560.tif 000009
【図８】
2016162560.tif 000010
【図９】
2016162560.tif 000011